(57)【要約】【課題】飲食店等で使用される画像表示装置では、メニュー等の物品を収納する物置部が専用の部品として個別で設けられているため、部品点数が多くなり組立作業、設置作業等に手間がかかる。【解決手段】ディスプレイ本体を支持する支持部と物置部を一体化することによって、専用部品を要しない、且つ、部品点数を減らし組立作業、設置作業等を簡略化することができる画像表示装置が得られる。【選択図】図１
2011090171.tif 000002
【特許請求の範囲】
【請求項１】
ディスプレイ本体と、前記ディスプレイ本体を背面から支持すると共に、物品を配置することができる物置部を一体化した構成を備えた支持部を有することを特徴とする画像表示装置。
【請求項２】
請求項１において、前記支持部は前記ディスプレイ本体に設けられた排熱孔を除いた位置に、該支持部を前記ディスプレイ本体に固定する固定部を有することを特徴とする画像表示装置。
【請求項３】
請求項２において、前記支持部は前記固定部から延びる中間部を有することを特徴とする画像表示装置。
【請求項４】
請求項３において、前記中間部は前記ディスプレイ本体の表面に対して予め定められた傾斜角を持つことを特徴とする画像表示装置。
【請求項５】
請求項３又は４において、前記中間部に連結され、前記物置部を規定する底部を有することを特徴とする画像表示装置。
【請求項６】
請求項５において、前記底部は、前記ディスプレイ本体の表示画面に対して並行に延びる溝部を有することを特徴とする画像表示装置。
【請求項７】
請求項５又は６において、前記底部の底面には、固定部材が設けられていることを特徴とする画像表示装置。
【請求項８】
請求項１〜７のいずれか１つにおいて、前記支持部は前記ディスプレイ本体に対して、角度を変化させる構造を備えていることを特徴とする画像表示装置。
【請求項９】
請求項３又は４において、前記中間部は、板状の部材によって構成されていることを特徴とする画像表示装置。
【請求項１０】
請求項３又は４において、前記中間部は、線状の部材によって構成されていることを特徴とする画像表示装置。
【発明の詳細な説明】
【技術分野】
【０００１】
本発明は、入出力のための画像表示装置に関し、特に、飲食店等で有効に利用される画像表示装置に関する。
【背景技術】
【０００２】
飲食店等には、テーブル毎にディスプレイ端末を設置しておき、当該ディスプレイ端末をセルフオーダー端末として利用して、顧客によって注文を行うことができるようにしたセルフオーダー式の店舗がある。当該ディスプレイ端末をセルフオーダー端末として利用するだけでなく、さらに当該ディスプレイ端末を利用して、各種コンテンツ提供サービス（ビデオゲーム或いは地域情報等を来店客に提供するサービス）の提供も行われている。セルフオーダー式ではない店舗でも、このようなサービスの提供が行われており、飲食店等に広く普及している。従来は、セルフオーダー式ではない店舗だけでなく、セルフオーダー式の店舗であっても、テーブル毎にディスプレイ端末とブック型等のメニューの両方が備えられていた。
【０００３】
これに関連する技術としては、例えば、特許文献１に記載された画像表示装置が挙げられる。
【０００４】
具体的に説明すると、特許文献１はビデオゲーム、地域情報等のコンテンツを表示するディスプレイ本体と、当該ディスプレイ本体の背面にメニュー等の物品を置くことができる物置部を備えた画像表示装置を開示している。更に、ディスプレイ本体の下部には、当該ディスプレイ本体を支持する支持部が設けられており、この支持部の下部には、ディスプレイ本体をテーブルやカウンタ等に固定する固定部が設置されている。
【０００５】
この構成では、ディスプレイ本体を支持する支持部の面積を小さくできると共に、メニュー等の物品をディスプレイ本体の背面に設置された物置部に立設ことにより、支持部及びメニュー等によるテーブル、カウンタ等の占有面積を小さくすることができるため、テーブル、カウンタ等を広く使用することができる。
【先行技術文献】
【特許文献】
【０００６】
【特許文献１】特開２００２−３１１８４０号公報
【発明の概要】
【発明が解決しようとする課題】
【０００７】
上記特許文献１に記載された画像表示装置は、上記構造を有することにより、画像表示装置とメニュー等の両者による大きな占有面積から、メニュー等による占有面積を実質的に無くすことができる。
【０００８】
しかしながら、引用文献１は、ディスプレイ本体を支持する支持部と、メニュー等を置くための物置部とが別々に設けられ、専用の部品を用いてそれぞれ個別に取り付ける必要があるため部品点数が多くなる。その結果、支持部と物置部を個別にディスプレイ本体に取り付けるため組立作業、設置作業等に手間がかかるという欠点がある。
【０００９】
本発明は、このような従来の問題を解決するものであり、専用の部品を要することなく、メニュー等を置くための物置部を有する画像表示装置を提供することを目的とする。
【００１０】
本発明の他の目的は、部品点数を減少させることにより、組立作業、設置作業等を簡略化できる画像表示装置を提供することである。
【課題を解決するための手段】
【００１１】
本発明は、ディスプレイ本体と、前記ディスプレイ本体を、背面から支持すると共に、物品を配置することができる物置部を一体化した構成を備えた支持部を有する画像表示装置が得られる。
【００１２】
具体的に説明すると、本発明の態様によれば、前記物置部と前記支持部を一体化させることにより、部品点数の減少を実現させている。
【発明の効果】
【００１３】
本発明では、物置部と支持部を一体化させることにより、専用の部品を要することなく、メニュー等を置くための物置部を有する画像表示装置を得ることができる。また、画像表示装置の部品点数を少なくすることができ、この結果、画像表示装置の組立作業、設置作業等を簡略化できるという効果がある。
【図面の簡単な説明】
【００１４】
【図１】本発明に係る画像表示装置を背面から見た場合における斜視図である。
【図２】本発明に係る画像表示装置を底面から見た場合における斜視図である。
【図３】本発明に係る画像表示装置の背面図である。
【図４】本発明に係る画像表示装置の側面図である。
【図５】本発明の画像表示装置に使用される支持部の斜視図である。
【発明を実施するための形態】
【００１５】
以下、本発明の実施の形態について、図面を参照して説明する。
【００１６】
図１及び２は本発明の画像表示装置の斜視図である。図３は本発明の画像処理装置の背面図、図４は側面図である。図５は支持部の斜視図である。
【００１７】
図１〜４に示すように、本発明に係る画像表示装置１は、ディスプレイ本体２と、背面ハウジング３に固定される支持部１０を備えている。支持部１０は、固定部１１、中間部１２及び底部１３の各部分から構成されている。
【００１８】
図１〜４に示された支持部１０は、固定部１１に孔を設け、背面ハウジング３に設けられた排熱孔４を除いた位置に、ネジにより固定されている。図示された中間部１２は、板状の部材から構成され、ディスプレイ本体２の表面に対して予め定められた傾斜角を持つように固定部１１から延在している。この中間部１２に連結される底部１３は、ディスプレイ本体２の表示画面に対して並行に延びる物置部１４を規定しており、物置部１４にメニュー等の物品が置かれる。
【００１９】
図２及び５に示すように、底部１３の底面には、固定部材１５が設けられており、固定部材１５とディスプレイ本体２の下部により、図１及び４に示すように、画像表示装置は、テーブル等の上に所定の傾斜角を維持した状態で立設している。開示された固定部材１５はゴム等の柔軟性のある材料によって形成されている。
【００２０】
図１〜４に示された画像表示装置１は、物置部１４を支持部１０と一体化させることにより画像表示装置１の部品点数の減少を実現させている。また、図１〜５に示された例では、背面ハウジング３と支持部１０は別体として構成されているが、これらを一体成形したもの、又は、背面ハウジング３が複数の部品で形成されている場合は背面ハウジング３の少なくとも一つの部品と支持部１０を一体成形したものでもよい。これにより、画像表示装置１の部品点数をさらに減少させることができる。
【００２１】
また、図２に示されているように、支持部１０の底部１３の底面に固定部材１５を備えることにより、画像表示装置１の転倒及び落下、テーブルへの損傷等を防止している。これにより、さらに画像表示装置の部品点数の減少を実現することができる。底部１３の底面及び固定部材１５に同軸上の孔を設け、ネジ等により画像表示装置１をテーブルに固定させることもでき、更なる安定性を実現することも可能である。他の固定方法として、底部１３の底面及びテーブルにマグネットを取り付けることによる固定でもよい。いずれにしても、図示された支持部１０は、場所に適した固定方法を選択できる柔軟性を有している。
【００２２】
更に、ディスプレイ本体２の背面ハウジング３と支持部１０の固定方法において、例では、ネジにより固定されているが、他の固定方法でも構わない。背面ハウジング３に該表面から突出した凸部、固定部１１に該表面から窪んだ凹部を設け、これらを圧入により嵌合させてもよい。逆に、背面ハウジング３に凹部、支持部１０に凸部を設けてもよい。これにより、さらに画像表示装置１の部品点数の減少を実現することができる。
【００２３】
図１〜４に示されているように、支持部１０は背面ハウジング３の排熱孔４を除いた位置に固定され、且つ、排熱孔４から離隔され設けられている。これにより、支持部１０及びメニュー等５が、排熱の障害となりディスプレイ本体２に悪影響を及ぼすことを阻止することができる。
【００２４】
図１、２、４及び５に示されているように、物置部１４は溝状に形成されている。これにより、飲食店等で物置部１４がメニュー等５の配置場所であることを明白に認識させることができるという効果を有している。
【００２５】
物置部１４は、溝状以外の構成にすることも可能であり、メニュー等以外の物品、例えば、調味料等の配置場所として利用することも可能である。
【００２６】
また、図１〜４に示されているように、支持部１０はディスプレイ本体２の背面に存在しているため、ディスプレイ本体２前面の表示画面が支持部１０やメニュー等により隠れることがない。しかも、物置部１４等の支持部３の少なくとも一部をディスプレイ本体２の上面又は側面等から突出させることにより、画像表示装置１を正面から見たときでも、飲食店等で顧客に対して副次的に物置部の存在を認識させることができる。
【００２７】
支持部１０の形状について、比較的自由に、デザイン性等を考慮して変化させることができる。例えば、支持部１０を線状部材等によって構成しても良い。
【００２８】
更に、本発明では、高さ調節や首振り機能等を有する画像表示装置１を用いると共に、支持部１０に高さ調節や角度調節機能等を付与することにより、ディスプレイ本体２の表示画面を照明の角度に応じて最適に調整できる構成にすることができる。この構成によれば、周囲の光の反射による見難さ等を解消できる。
【００２９】
また、上に述べた実施例では、支持部１０をディスプレイ本体２の背面で固定した場合についてのみ説明したが、本発明は何等これに限定されることなく、例えば、ディスプレイ本体２の側面に固定された固定部を有し、背面側でディスプレイ本体を支持するような支持部であっても良い。
【産業上の利用可能性】
【００３０】
本発明は、単に液晶表示装置に限らず、有機ＥＬ表示装置等、各種薄型の表示装置に適用できる。
【符号の説明】
【００３１】
１画像表示装置
２ディスプレイ本体
３背面ハウジング
４排熱孔
５メニュー等
１０支持部
１１固定部
１２中間部
１３底部
１４物置部
１５固定部材
【図１】
2011090171.tif 000003
【図２】
2011090171.tif 000004
【図３】
2011090171.tif 000005
【図４】
2011090171.tif 000006
【図５】
2011090171.tif 000007